(57)【要約】      （修正有）【課題】斜面の安定化を図るだけでなく、安定表層土砂の流出抑制も図ることのできる斜面安定化工法を提供する。【解決手段】斜面に多数のアンカー１を設置するとともに、各アンカー１の頭部に支圧部材２を取り付けこれを締着して地盤に対する支圧力を与え、かつ各アンカー１の頭部間をワイヤロープ３で連結する斜面安定化工法において、ワイヤロープ３に、表層土砂の斜面下方への移動を遮ることが可能な表層土砂流出抑制部材４、５、５’を取り付ける。樹木を残して斜面の安定化を図ることができる同時に、表層土砂流出抑制部材４、５、５’により雨水による表層土砂の流出を抑制することができる。【選択図】      図１
2004324348.tif 000002
【特許請求の範囲】
【請求項１】
斜面に多数のアンカーを設置するとともに、各アンカーの頭部に支圧部材を取り付けこれを締着して地盤に対する支圧力を与え、かつ各アンカー頭部間をロープで連結する斜面安定化工法において、
前記ロープに、表層土砂の斜面下方への移動を遮ることが可能な表層土砂流出抑制部材を取り付けることを特徴とする土砂流出抑制の斜面安定化工法。
【請求項２】
請求項１の土砂流出抑制の斜面安定化工法に用いる表層土砂流出抑制部材であって、ロープに取り付けるための係合部と、水通し可能な本体部とを備えていることを特徴とする表層土砂流出抑制部材。
【請求項３】
前記本体部が板状をなし、この本体部をロープに概ね直角に取り付け可能な係合部を有することを特徴とする請求項２記載の表層土砂流出抑制部材。
【請求項４】
前記係合部として、本体部にロープ嵌入用の切り欠きを設けたことを特徴とする請求項３記載の表層土砂流出抑制部材。
【請求項５】
前記本体部が板状をなし、この本体部をロープに概ね平行に取り付け可能な係合部を有することを特徴とする請求項２記載の表層土砂流出抑制部材。
【請求項６】
前記本体部に多数の水通し穴を設けたことを特徴とする請求項３、４又は５記載の表層土砂流出抑制部材。
【請求項７】
前記板状の本体部が櫛歯状をなすとともに、本体部の側面に係合部として水平方向に伸びる下向き溝を設けたことを特徴とする請求項５記載の表層土砂流出抑制部材。
【請求項８】
前記本体部が金網からなることを特徴とする請求項２記載の表層土砂流出抑制部材。
【請求項９】
請求項１の土砂流出抑制の斜面安定化工法に用いる表層土砂流出抑制部材であって、円周方向の一部に隙間を持つ複数の隙間付きリング状線材と、間隔をあけてかつ前記隙間の位置が揃うように配された前記各リング状線材の外周部をそれぞれ連結する軸方向の複数の直線状線材とからなることを特徴とする表層土砂流出抑制部材。
【請求項１０】
請求項１の土砂流出抑制の斜面安定化工法に用いる表層土砂流出抑制部材であって、円周方向の一部に凹部を持つ複数の凹部付きリング状線材と、間隔をあけてかつ前記凹部の位置が揃うように配された前記各リング状線材の外周部をそれぞれ連結する軸方向の複数の直線状線材とからなることを特徴とする表層土砂流出抑制部材。
【請求項１１】
請求項１の土砂流出抑制の斜面安定化工法に用いる表層土砂流出抑制部材であって、概ね螺旋状をなすとともに、螺旋正面から見て円の一部に凹部が形成された形状の略螺旋状線材と、この螺旋状線材の外周部を連結する軸方向の複数の直線状線材とからなることを特徴とする表層土砂流出抑制部材。
【発明の詳細な説明】
【０００１】
【発明に属する技術分野】
この発明は、多数のアンカーとアンカー頭部に取り付ける支圧部材とアンカー頭部間を連結するロープとで斜面の安定化を図る斜面安定化工法に関し、特に、表層土砂流出の抑制も可能にする斜面安定化工法に関する。
【０００２】
【従来の技術】
斜面に多数のアンカーを設置するとともに、各アンカーの頭部に支圧部材を取り付けこれを締着して地盤に対する支圧力を与え、かつ各アンカー頭部間をワイヤロープで連結する斜面安定化工法は、樹木を残して斜面安定化を図ることができるので、斜面にコンクリートやモルタルによる格子状の枠を設置するのり枠工法と比較して、環境保全、景観等の点で自然斜面の安定化工法として優れている。しかし、このアンカーと支圧部材とワイヤロープとによる斜面安定化工法は、斜面上の樹木や草などの自生している植物を残す工法なので、植物がある斜面では土砂の流出を防止することができるが、のり枠工法のように斜面を構造物で仕切るものではないので、部分的にでも植物がない斜面では表層土砂の流出を防止する効果が低い点が弱点である。この場合、支圧部材の補強用リブやワイヤロープが表層土砂の流出抑制に若干寄与するが、これらでは一定以上の土砂を補足することは難しい。
【０００３】
また、この種の斜面安定化工法で土砂流出抑制を図るために、支圧部材と支圧部材との間に、帯状の網状部材を斜面と直角にないし角度を付けて掛け渡す工法が、本願出願人の特許としてある（特許第３３７４０６１号参照）。
【０００４】
【特許文献１】
特許第３３７４０６１号
【０００５】
【発明が解決しようとする課題】
上記の通り、単に支圧部材とワイヤロープとによる表層土砂流出抑制効果は、植物がない斜面では若干の効果はあるものの、十分ではない。これに対して、帯状の網状部材を支圧部材間に掛け渡す方法は、表層土砂流出抑制を有効に果たすことができるが、網状部材を掛け渡す作業がやや手間となり、若干コストが高くなるという欠点がある。
【０００６】
本発明は上記背景の下になされたもので、アンカーと支圧部材とロープとで斜面安定化を図るとともに、表層土砂の流出抑制をも有効に図ることのできる斜面安定化工法を提供することを目的とする。
【０００７】
【課題を解決するための手段】
上記課題を解決する本発明は、斜面に多数のアンカーを設置するとともに、各アンカーの頭部に支圧部材を取り付けこれを締着して地盤に対する支圧力を与え、かつ各アンカー頭部間をロープで連結する斜面安定化工法において、前記ロープに、表層土砂の斜面下方への移動を遮ることが可能な表層土砂流出抑制部材を取り付けることを特徴とする。
【０００８】
請求項２は、請求項１の土砂流出抑制の斜面安定化工法に用いる表層土砂流出抑制部材であって、ロープに取り付けるための係合部と、水通し可能な本体部とを備えていることを特徴とする。
【０００９】
請求項３は、請求項２の表層土砂流出抑制部材において、本体部が板状をなし、この本体部をロープに概ね直角に取り付け可能な係合部を有することを特徴とする。
【００１０】
請求項４は、請求項３の表層土砂流出抑制部材において、係合部として、本体部にロープ嵌入用の切り欠きを設けたことを特徴とする。
【００１１】
請求項５は、請求項２の表層土砂流出抑制部材において、本体部が板状をなし、この本体部をロープに概ね平行に取り付け可能な係合部を有することを特徴とする。
【００１２】
請求項６は、請求項３、４又は５の表層土砂流出抑制部材において、本体部に多数の水通し穴を設けたことを特徴とする。
【００１３】
請求項７は、請求項５の表層土砂流出抑制部材において、板状の本体部が櫛歯状をなすとともに、本体部の側面に係合部として、本体部の側面に係合部として水平方向に伸びる下向き溝を設けたことを特徴とする。
【００１４】
請求項８は、請求項２の表層土砂流出抑制部材において、本体部が金網からなることを特徴とする。
【００１５】
請求項９は、請求項１の土砂流出抑制の斜面安定化工法に用いる表層土砂流出抑制部材であって、円周方向の一部に隙間を持つ複数の隙間付きリング状線材と、間隔をあけてかつ前記隙間の位置が揃うように配された前記各リング状線材の外周部をそれぞれ連結する軸方向の複数の直線状線材とからなることを特徴とする。
【００１６】
請求項１０は、請求項１の土砂流出抑制の斜面安定化工法に用いる表層土砂流出抑制部材であって、円周方向の一部に凹部を持つ複数の凹部付きリング状線材と、間隔をあけてかつ前記凹部の位置が揃うように配された前記各リング状線材の外周部をそれぞれ連結する軸方向の複数の直線状線材とからなることを特徴とする。
【００１７】
請求項１１は、請求項１の土砂流出抑制の斜面安定化工法に用いる表層土砂流出抑制部材であって、概ね螺旋状をなすとともに、螺旋正面から見て円の一部に凹部が形成された形状の略螺旋状線材と、この螺旋状線材の外周部を連結する軸方向の複数の直線状線材とからなることを特徴とする。
【００１８】
【発明の実施の形態】
図１（イ）は本発明の一実施形態の土砂流出抑制の斜面安定化工法を施工した斜面の平面図、（ロ）は（イ）のＡ−Ａ断面図である。これらの図に示すように、この斜面安定化工法は、斜面に多数のアンカー１を設置するとともに、各アンカー１の頭部に支圧部材２を取り付けこれを締着して地盤に対する支圧力を与え、かつ各アンカー１の頭部間をロープ例えばワイヤロープ３で連結する斜面安定化工法である。
【００１９】
アンカー頭部の詳細構造を説明すると、図２に示すように、支圧部材２は、鋼板製で、中心にアンカー挿通穴を持つ底板６に筒体７を垂直に固定し、底板６と筒体７との間に、ワイヤロープ３を通すための切り欠き８ａを設けた補強リブ８を溶接固定した構造であり、この支圧部材２を地盤に打設したアンカー１の頭部に配置し、ワッシャプレート９を介してナット１０をアンカー頭部のネジ部１ａに螺合させ締め付けることで、地盤に対する支圧力を得る。
図示例では、ワイヤロープ３は、隣接する３つのアンカー頭部間に廻らして三角形状をなすものであり、ワイヤロープ３は具体的には、支圧部材２の補強リブ８の切り欠き８ａを通して、筒体７の外周に接触する。
【００２０】
本発明では、前記ワイヤロープ３に、表層土砂の斜面下方への移動を遮ることが可能な表層土砂流出抑制部材を取り付けるものである。図１（イ）に表層土砂流出抑制部材を４、５、５’で示した。
これらの表層土砂流出抑制部材の詳細構造を説明すると、表層土砂流出抑制部材４は、図３（イ）、（ロ）に示すように、円板状の本体部１２に、中心穴１３ａと半径方向のスリット１３ｂとからなる鍵穴状の切り欠き１３を設け、かつ多数の水通り穴１４をあけ、さらにスリット１３ｂの両側および左右と上部を補強リブ１５で補強した構造である。
【００２１】
上記の表層土砂流出抑制部材４は、ワイヤロープ３をアンカー１の頭部間に連結した施工完了後に、その切り欠き１３にワイヤロープ３を嵌入させて図３（ロ）のように地面１６に置くか、又は先端を埋めることで、ワイヤロープ３に概ね直角に取り付けることができる。
【００２２】
降雨時には、雨水と一緒に落ち葉や小枝、土砂等の表層土砂が斜面を流下してくるが、ワイヤロープ３に取り付けられた表層土砂流出抑制部材４は、そのような表層土砂の流下を有効に防止することができる。また、水通り穴１４をあけているので、雨水は表層土砂流出抑制部材４によって滞留することなく、徐々に斜面下方に流れあるいは斜面土壌内に浸透し、雨水が斜面の安定化に悪影響を及ぼすことを防止できる。
【００２３】
上記実施形態の表層土砂流出抑制部材４は板状の本体部１２が円形であるが、これに限らず、楕円形あるいは四角形その他の多角形等、任意である。さらに、補強リブ１５は必ずしも設けなくてもよい。また、ワイヤロープ３を嵌入させるための切り欠き１３の形状は、ワイヤロープ３の長手方向と直角な横方向にワイヤロープ３が抜けないように嵌入できればよく、実施形態の形状に限らず、任意である。
また、表層土砂流出抑制部材を取り付ける個所としては、斜面における傾斜方向をなすワイヤロープ３に限らず、斜め方向をなすワイヤロープ３でもよい。
【００２４】
ワイヤロープ３に取り付けられる他の表層土砂流出抑制部材５の詳細を図４に示す。この表層土砂流出抑制部材５は、円周方向の一部に隙間１８を持つ複数の隙間付きリング状線材１９と、間隔をあけてかつ前記隙間１８の位置が揃うように配された前記各リング状線材１９の外周部をそれぞれ連結する軸方向の複数の直線状線材２０とからなる構造である。
この表層土砂流出抑制部材５は、ワイヤロープ３を隙間１８から中に入れることで、ワイヤロープ３に長手方向に沿って取り付けることができる。なお、隙間１８がワイヤロープ３の径より小さい時は、隙間を広げることでワイヤロープ３を中に入れることができる。
なお、ワイヤロープ３を通す隙間は、使用するリング状線材１９の剛性が低い場合、図４（ハ）に示すように、円周方向の一部の分離部がラップ（ラップ部をａで示す）した構成とし、広げた時に実際の隙間が生じるものとすることもできる。
この表層土砂流出抑制部材５によれば、網目を持つものであるから雨水の滞留は当然生じない。また、網目の大きさを適切に設定することで、表層土砂流出抑制効果を有効に果たすことができる。
【００２５】
前記の表層土砂流出抑制部材５は、いわば、円周方向の１箇所に隙間１８を持つ短尺の円筒状金網であるが、縦の線材と横の線材とを格子状に溶接固定した四角形の溶接金網を、隙間を残して円筒状に成形して得ることもできる。また、溶接金網以外の金網を用いて製作することもできる。
【００２６】
図５に、図４の表層土砂流出抑制部材５の変形例を示す。この表層土砂流出抑制部材２２は、図４の表層土砂流出抑制部材５における隙間１８を持つ略リング状線材１９に代えて、円周方向の一部に凹部２３を持つ略リング状線材２４を用いたもので、間隔をあけた複数の略リング状線材２４を軸方向の複数の直線状線材２５で連結したものである。
この表層土砂流出抑制部材２２の場合、図５（ロ）のように、上方に位置させた凹部２３にワイヤロープ３を収容して、ワイヤロープ３に取り付けることができる。
【００２７】
図４の表層土砂流出抑制部材５は短いものであるが、図６に示すように、表層土砂流出抑制部材５と同じ構造で長さを長くした表層土砂流出抑制部材５’を用いると、表層土砂流出抑制効果が高まる。
図５に示した表層土砂流出抑制部材２２も図６と同様に長くして用いることができる。
【００２８】
また、図７に示すように、螺旋状に成形した螺旋状線材２８の外周に軸心方向の複数の直線状線材２９を溶接固定するとともに、図５と同様に凹部３０を設けた表層土砂流出抑制部材３１を用いることもできる。この表層土砂流出抑制部材３１は図５の表層土砂流出抑制部材２２と同様な要領で用いる。
また、図８に示すように、単なる短い螺旋状線材２８’だけからなる表層土砂流出抑制部材３２を用いることもできる。この場合、螺旋状線材である表層土砂流出抑制部材３２をワイヤロープ３に添わせて複数回まわすと、螺旋の中にワイヤロープ３を通すことができる。
【００２９】
図９に本発明のさらに他の実施形態の表層土砂流出抑制部材３３を示す。図９（イ）は表層土砂流出抑制部材３３の正面図、（ロ）は（イ）のＥ−Ｅ断面図である。この表層土砂流出抑制部材３３は、多数のスリット３４を設けて櫛歯状にした正面から見て矩形の本体部３５を備え、本体部３５の側面に、ワイヤロープ３への係合部として、水平方向に伸びる下向き溝３６を設けている。図示例では、矩形の１枚板に多数のスリット３４を設けるとともに、これを折り返して、本体部３５と同時に下向き溝３６を形成している。
この表層土砂流出抑制部材３３によれば、本体部３５の櫛歯のスリット３４部分が良好な水通り穴となる。また、ワイヤロープ３に沿う溝状の係合部（下向き溝３６）を持つので、ワイヤロープ３に沿って櫛歯状部分を地面に置くか、又は先端を埋めるという簡単な操作で、ワイヤロープ３への取り付けが可能である。また、ワイヤロープ３に沿って長くすることは容易であり、表層土砂流出抑制機能を高くすることが容易である。
また、図９（ハ）に示した表層土砂流出抑制部材３３’のように、本体部３５’にアングル材を固着して下向き溝３６’を形成しても同様の機能を発揮する。
【００３０】
本発明における上述の表層土砂流出抑制部材は、以下に述べる通り、自然斜面における表層土砂流出抑制手段として優れている。すなわち、コンクリートやモルタルによるのり枠を設ける斜面安定化工法や、緑化材を詰めた袋を設置する斜面安定化工法におけるのり枠や詰め袋は、土砂流出を止めることができるが、斜面表面を流下する雨水も止めてしまう。このため、緑化材を詰めた袋は腐食し、緑化材の種等は腐敗してしまう。また、コンクリートやモルタルののり枠では、雨水を止めて、ある一定以上の量になったら、一気に水を流すため、土砂の侵食・崩壊が発生し易いことになる。事実、通常ののり枠において、のり枠の下部が侵食されている現象が多数確認されている。
これに対して、本発明における表層土砂流出抑制手段は、ワイヤロープ３に円板状、あるいは円筒網状、あるいは櫛状等の表層土砂流出抑制部材を取り付けるだけなので、斜面表面を流れる雨水を大量に滞留させる恐れはなく、上述の通り、雨水と一緒に流下してくる落ち葉や小枝、土砂等を補足しつつ、雨水は徐々に斜面下方に流すかまたは斜面土壌に浸透させるので、上記のり枠のような侵食の問題は発生しない。
【００３１】
なお、本発明において、アンカーは地盤に打ち込むものに限らず、予めあけた細い穴にアンカーを挿入しグラウトを注入する等の方法で設置するものでもよい。また、支圧部材は、図示例の構造に限定されるものでなく、アンカーの頭部に取り付けることができ、締着した時地盤に対する支圧力を与えることができるものであればよい。また、アンカー頭部間を連結するロープは、通常はワイヤロープを用いるが、それに限らず樹脂ロープ等を用いることができる。また、ロープでアンカー頭部間を連結する連結の仕方は、図２のような仕方に限らず、種々の方法を採用できる。また、アンカーの配列も図１のような配列に限らず、例えば単なる格子状配列とする等、任意である。また、ロープでアンカー頭部間を連結する場合のロープの引き回しパターンは、実施形態では三角形をなすように引き回しているが、これに限らず、任意のパターンで引き回しすることができる。
【００３２】
【発明の効果】
本発明によれば、アンカー、支圧部材およびロープを用いて行なう斜面安定化工法において、ロープに、表層土砂の斜面下方への移動を遮ることが可能な表層土砂流出抑制部材を取り付けるので、樹木を残して斜面の安定化を図ることができる同時に、表層土砂の流出を抑制し、植物が発芽しやすい環境を維持できる。
【００３３】
請求項２や請求項６によれば、本体部に水通り穴を設けているので、斜面表面を流れる雨水は滞留させずに、徐々に斜面下方に流すかまたは斜面土壌に浸透させることができ、雨水の流れによる地盤侵食の問題は発生しない。
【００３４】
請求項３あるいは請求項４によれば、表層土砂流出抑制部材を簡単に製作することができ、かつこの表層土砂流出抑制部材をロープに容易に取り付けることができる。
【００３５】
請求項５によれば、表層土砂流出抑制部材に、広い範囲に表層土砂流出機能を持たせることが容易である。
【００３６】
請求項７によれば、本体部の櫛歯の隙間部分が良好な水通り穴となる。また、ロープに沿う溝状の係合部を持つので、ロープに沿って櫛歯状部分を地面に差込むという簡単な操作で、ロープへの取り付けが可能である。また、ロープに沿って長くすることは容易であり、表層土砂流出抑制機能を高くすることが容易である。
【００３７】
請求項８によれば、本体部が金網からなるので、表層土砂流出抑制機能と水抜き機能とを共に持たせることが容易である。
【００３８】
請求項９や請求項１０や請求項１１によれば、表層土砂流出抑制機能と水抜き機能とを共に持たせることが容易であると同時に、長さを長くしてロープの広い範囲に設けることが容易であり、表層土砂流出抑制機能を高めることが容易である。
【図面の簡単な説明】
【図１】（イ）は本発明の一実施形態の土砂流出抑制の斜面安定化工法を施工した斜面の平面図、（ロ）は（イ）のＡ−Ａ断面図である。
【図２】図１における１箇所のアンカー頭部近傍の詳細構造を示した断面図である。
【図３】（イ）は図１、図２における１つの表層土砂流出抑制部材４の詳細を示した正面図、（ロ）は（イ）のＢ−Ｂ断面図である。
【図４】（イ）は図１、図２における他の表層土砂流出抑制部材５の詳細を示した正面図、（ロ）は（イ）のＣ−Ｃ断面図、（ハ）は（イ）、（ロ）の表層土砂流出抑制部材の変形例を説明する図である。
【図５】表層土砂流出抑制部材のさらに他の実施形態を示すもので、（イ）は正面図、（ロ）は（イ）のＤ−Ｄ断面図である。
【図６】表層土砂流出抑制部材のさらに他の実施形態を模式的に示すもので、（イ）は正面図、（ロ）は（イ）の右側面図である。
【図７】表層土砂流出抑制部材のさらに他の実施形態を模式的に示すもので、（イ）は正面図、（ロ）は（イ）の右側面図である。
【図８】表層土砂流出抑制部材のさらに他の実施形態を模式的に示すもので、（イ）は正面図、（ロ）は（イ）の右側面図である。
【図９】表層土砂流出抑制部材のさらに他の実施形態を示すもので、（イ）は正面図、（ロ）は（イ）のＥ−Ｅ断面図、（ハ）は（イ）、（ロ）の表層土砂流出抑制部材の変形例である。
【符号の説明】
１  アンカー
２  支圧部材
３  ワイヤロープ（ロープ）
４、５、５’、２２、３１、３２、３３、３３’  表層土砂流出抑制部材
１２、３５、３５’  本体部
１３  切り欠き（係合部）
１３ａ  中心穴
１３ｂ  スリット
１４  水通り穴
１５  補強リブ
１８  隙間
１９  隙間付きリング状線材
２０、２５、２９  直線状線材
２３、３０  凹部
２４  略リング状線材
２８、２８’  螺旋状線材
３４、３４’  スリット
３６、３６’  下向き溝（係合部）
【図１】
2004324348.tif 000003
【図２】
2004324348.tif 000004
【図３】
2004324348.tif 000005
【図４】
2004324348.tif 000006
【図５】
2004324348.tif 000007
【図６】
2004324348.tif 000008
【図７】
2004324348.tif 000009
【図８】
2004324348.tif 000010
【図９】
2004324348.tif 000011